(57)【特許請求の範囲】
【請求項１】
カラーとピンを備えた締め付け用ロックボルトであって、
前記ピンは、ピン・ヘッドと、複数の被工作部材の位置合わせされた開口を突き抜けて挿入されるピン・テールを備え、
前記ピン・テールは、複数の環状の固定溝を備えた固定部と、前記固定部と前記ピン・ヘッドから離れた側の前記ピン・テールの端面との間に設けられ、前記ピン・テールに加えられる軸方向の引っ張り力を受けるように配置された単一の引っ張り溝と、前記単一の引っ張り溝と前記端面との間に設けられた端部を備え、
前記単一の引っ張り溝は、第１傾斜部と、第２傾斜部と、前記第１及び第２傾斜部の間の平坦な部分を含み、前記単一の引っ張り溝の前記第１傾斜部と前記第２傾斜部のうち一方の傾斜部は、前記軸方向の引っ張り力を受けるための１つの接触面を提供し、
前記カラーは、前記複数の環状の固定溝の上に嵌装されるように取り付けられ、前記複数の環状の固定溝にスエージされることを特徴とするロックボルト。
【請求項２】
前記単一の引っ張り溝と前記端部は、それらを合わせた長さが前記固定部の長さよりも短く、前記固定部の最大直径よりも小さい最大直径を有することを特徴とする請求項１に記載のロックボルト。
【請求項３】
前記固定部の最大直径に対する前記単一の引っ張り溝の最小直径の割合が０．５０から０．７８の範囲内であることを特徴とする請求項１に記載のロックボルト。
【請求項４】
前記固定部の最大直径に対する前記端部の最大直径の割合が０．７から１．０の範囲内であることを特徴とする請求項１に記載のロックボルト。
【請求項５】
前記固定部の最大直径に対する前記単一の引っ張り溝及び前記端部がその上に展開される前記ピン・テールの長さの割合が０．７から１．２の範囲内であることを特徴とする請求項１に記載のロックボルト。
【請求項６】
前記固定部の最大直径に対する前記単一の引っ張り溝がその上に展開される前記ピン・テールの長さの割合が０．３から０．７の範囲内であることを特徴とする請求項１に記載のロックボルト。
【請求項７】
前記固定部の最大直径に対する前記端部がその上に形成される前記ピン・テールの長さの割合が０．２６から０．５の範囲内であることを特徴とする請求項１に記載のロックボルト。
【請求項８】
前記カラーを前記ピン上の初期組立位置に保持するための保持構造をさらに備えたことを特徴とする請求項１に記載のロックボルト。
【請求項９】
前記保持構造は、前記固定部の前記単一の引っ張り溝に隣接する部分に設けられた螺旋状のねじ山と、前記固定部の前記単一の引っ張り溝に隣接する部分に設けられた螺旋状のねじ山が係合される、前記カラーの貫通穴に設けられた対応するねじ山、螺旋又はタブを備えたことを特徴とする請求項８に記載のロックボルト。
【請求項１０】
前記保持構造は、前記カラーの貫通穴に設けられたタブが前記固定部の第１の複数の環状の固定溝の下まで突き抜け、プッシュ・アンド・ツイスト動作によって、その中で前記カラーのタブが係合のために回転されうる、前記ピン・テールに設けられた軸方向の浅いスロットをさらに備えたことを特徴とする請求項８に記載のロックボルト。
【請求項１１】
前記保持構造は、前記カラーの貫通穴又は前記ピン・テールの複数の環状の固定溝のいずれかに設けられたエラストマーのビーズ又はリングをさらに備えたことを特徴とする請求項８に記載のロックボルト。
【請求項１２】
請求項１に係るロックボルトと、ノーズ・ピースによって取り囲まれた口金を備えた取付工具を備え、前記ノーズ・ピースに傾斜したアンビル部が形成されていることを特徴とするロックボルトを取り付けるための装置。
【請求項１３】
前記取付工具は、押圧可能なプランジャーをさらに備え、前記プランジャーが押圧されていない間、前記取付工具が使用できないことを特徴とする請求項１２に記載の装置。
【請求項１４】
前記プランジャーは、前記ロックボルトのピン・テールの端面に設けられた窪みと係合する丸い先端を有していることを特徴とする請求項１３に記載の装置。
【請求項１５】
前記口金の一部分は、前記単一の引っ張り溝の形状の少なくとも一部分と係合する形状を有していることを特徴とする請求項１２記載の装置。
【請求項１６】
油圧作動ピストンと、傾斜したアンビル部が設けられたノーズ・ピースによって取り囲まれた口金を備えた取付工具を用いて、請求項１に係るロックボルトを、開口が形成された複数の被工作部材を備えた被工作物に取り付け、それによって前記複数の被工作部材を一体的に固定する方法であって、
前記ピン・ヘッドの裏面が前記被工作物の後面に接触し、前記ピン・テールが部分的に突出するまで、前記被工作物の後側からピンを前記被工作部材の開口に挿入するステップと、
前記被工作物の前側から前記カラーを前記ピン・テールの突出した端部に嵌め込むステップと、
前記ノーズ・ピースのアンビル部が前記口金を閉じ、それによって前記単一の引っ張り溝の前記接触面が係合し、前記ピン・テールを介して前記ピン・テールに引っ張り力が加わるように、前記工具を作動させ、それによって引っ張り力を前記口金に与えるステップと、
それに続く、前記カラーが前記複数の被工作部材側に押し付けられ、それによって前記複数の被工作部材が一体的に接触されるステップと、
それに続く、前記工具の前記ノーズ・ピースのアンビル部が前記カラーに力を加え、それによって前記カラーが前記ピン・テールの前記複数の環状の固定溝中に徐々にスエージされるステップと、
を備えたことを特徴とする方法。
【請求項１７】
前記工具によって加えられた力が、あらかじめ設定された最大値に達したときに停止され、それによって前記アンビル部が前記カラーから離れることを特徴とする請求項１６に記載の方法。
【請求項１８】
前記ピン・テールの一部が前記単一の引っ張り溝に形成された破断溝で破断されたときに、前記工具によって加えられた力が停止されることを特徴とする請求項１６に記載の方法。
【請求項１９】
前記ロックボルトは、前記カラーが前記ピンに嵌め込まれた後、前記ロックボルトを前記被工作物に取り付けるために前記取付工具が使用されるまで、前記カラーを前記ピン上の初期組立状態に維持するための保持手段をさらに備えたことを特徴とする請求項１６に記載の方法。
【請求項２０】
請求項１乃至１１のいずれか一項に記載のロックボルトを開口が形成された複数の被工作部材を備えた被工作物に取り付けるための工具であって、この工具は、油圧作動ピストンと口金を備え、前記工具の作動中、前記口金は、開口位置から閉じられた位置まで移動し、前記油圧作動ピストンによって前記工具の内部に引き込まれ、前記口金は、内側のリップがロックボルトの単一の引っ張り溝に係合されるようにロックボルトの周囲に密着し、それによって前記ロックボルトが前記工具の内側に引き込まれることを特徴とする工具。
【発明の詳細な説明】
【技術分野】
【０００１】
本発明は、開口が形成された複数の被工作部材を一体的に固定するロックボルト締め付け金具に関するものである。
【背景技術】
【０００２】
英国特許GB2444420（ハック・インターナショナル・インコーポレイテッド）に開示されているように、公知のロックボルト締め付け金具は、短くて直径の小さなピン・テールを有するピンを備えており、被工作物にこの締め付け金具が取り付けられたときでもピン・テールは破壊されない。GB'420のロックボルトは、取付工具に設けられた複数の口金の歯によって係合される、上記ピン部分に設けられた複数の引っ張り溝を備えている。
【０００３】
GB2444420に開示されているように、ステムが破壊されないロックボルト締め付け金具の問題点は、取付工具の歯の先端が、ピンに設けられた浅い溝と十分に係合しない、例えば、歯の先端が引っ張り溝の先端に直接密着し、負荷及び滑りを増加させる原因となり、それによって、工具及び／又は締め付け金具を損傷する原因となることである。
【０００４】
また、軸方向において、工具の歯が締め付け金具の全ての引っ張り溝と係合していなければ、負荷が掛かった締め付け金具の引っ張り溝に過大な応力や剥離を生じさせることにもなる。
【０００５】
また、従来例における多数の引っ張り溝及び工具の歯は、口金に対して角度を付けて挿入することに対しても注意が必要であり、それゆえ、作業者は、工具を作動させる前に、締め付け金具が口金に対して正確に一列に揃っていることを確認する必要がある。
【０００６】
このような複数の引っ張り溝を備えたステムが破壊されないロックボルト締め付け金具のさらなる不都合は、細長く浅い引っ張り溝と、浅い工具の引っ張り歯が、特に、汚れた作業環境において、たやすく屑で詰まってしまうことである。口金歯のピッチの細かい多数の溝は、これらの重負荷のロックボルト締め付け金具が用いられる屋外環境（例えば、砂漠に設置された太陽光発電構造物など）では一般的な砂や小石によるダメージを、より受けやすい。
【０００７】
ロックボルトに多数の引っ張り溝を形成するには、複雑で、それ故に高価な、細い圧延工具が必要であり、また、ピンに形成された多数の引っ張り溝の形状は、製品を検査するには困難であり、時間がかかるので、製造に要する時間とコストを増加させることになる。
【０００８】
取付工具の多数の口金歯は、半径の小さな円い歯でなければならず、それによって応力が増加し、早期のひび割れの原因となる。また、これらの歯は、製造及び検査がさらに複雑であり、さらにコストがかかる。
【０００９】
さらに、通常の製造公差による口金歯及び引っ張り溝のずれ又は歯と引っ張り溝の間のピッチ誤差のいずれかによっても、引っ張り荷重が不均一に分布し、それによって、早期の破損をもたらす局部的な高い応力が発生する。
【００１０】
また、現在知られているステムがつぶれないロックボルト締め付け金具のいくつかは、その中でカラーがスエージ（圧縮変形）される螺旋状の固定溝を含んでおり、異物混入や不十分な工作によりカラーが固定溝から緩み、抜け落ちる可能性がある。
【００１１】
さらに、取り付けられたロックボルトの突出した端部は、尖った引っ張り溝の先端を含んでおり、それによって作業者やその他の人を負傷させる危険性をもたらす。
【発明の概要】
【００１２】
本発明は、上記従来例の問題点を解決するロックボルトを提供することを目的としている。
【００１３】
そのため、本発明の一態様は、添付した請求項１に係るロックボルトを備えている。
【００１４】
本発明は、複数の比較的小さな引っ張り溝の代わりに比較的大きな単一の引っ張り溝しか有していないので、多数の引っ張り溝を備えた従来例に比べて角度調節や軸方向の位置決めが劇的に少なくなり、作業者が容易に工具とピンの係合を行うことを可能にする。さらに、従来例に比べて角度調節や位置決めが劇的に少なくなるので、作業者にとって、より速く、より簡単にピンを工具のノーズに挿入することができ、それによって取付作業の生産性が向上する。
【００１５】
本発明の単一の引っ張り溝は、従来例の多数の浅い溝に比べて、屑で詰まる可能性が少なくなる。
【００１６】
本発明のロックボルトは、従来例の多数の引っ張り溝を備えたロックボルトに比べて、より簡単に、且つ、より安価に製造することができる。また、溝は従来例に比べてずっと大きく／深いので、製造公差の影響をほとんど受けることはなく、それゆえ、公差による影響がずっと小さくなる。さらに、単一の引っ張り溝なので、ピッチ誤差はない。
【００１７】
本発明の固定溝は、その形状が全体的に又は大部分が環状であり、ロックボルトが取り付けられた後は、緩め動作によっては、カラーをピンから分離できなくし、例えば、回転させてもカラーをピンから外すことはできない。
【００１８】
単一の引っ張り溝の接触面は、傾斜部によってもたらされることが好ましい。
【００１９】
ロックボルトのピン・テールの端部は、固定部よりも短く、固定部の最大直径よりも小さい最大直径を有することが好ましい。
【００２０】
前記固定部の最大直径に対する前記単一の引っ張り溝の最大直径の割合は、０．５０から０．７８の範囲内であることが好ましい。
【００２１】
前記固定部の最大直径に対する前記端部の最大直径の割合は、０．７から１．０の範囲内であることが好ましい。
【００２２】
前記固定部の最大直径に対する、その上に前記引っ張り溝及び前記端部が展開されている前記ピン・テールの全長の割合は、０．７から１．２の範囲内であることが好ましい。
【００２３】
前記固定部の最大直径に対する、その上に前記引っ張り溝が展開されている前記ピン・テールの長さの割合は、０．３から０．７の範囲内であることが好ましい。
【００２４】
前記固定部の最大直径に対する、その上に前記端部が展開されている前記ピン・テールの長さの割合は、０．２６から０．５の範囲内であることが好ましい。
【００２５】
前記引っ張り溝は、第１傾斜部と、第２傾斜部と、第１及び第２傾斜部の間の平坦部を含み、溝の底は、その全長を通して一定の断面積を有することが好ましい。他の具体例として、引っ張り溝はこれ以外の形状であってもよい。
【００２６】
このロックボルトは、作業者がピン及びカラーを被工作物に取り付けた後、カラーのスエージによってロックボルトを固定するために取付工具を作動させるまでの間、ピン上でカラーを初期組立位置に保持する、保持構造を含むことが好ましい。この保持構造は、取り付けが完了するまでカラーがピン・テールから脱落しないことを保証し、このことは、例えばテールの後部が下を向いたピンの軸が垂直である場合など、特に困難な作業環境において有利である。また、作業者によって工具のノーズがピン・テールに係合されているので、この保持構造は、予期しないピンによるカラーの押し返しを防止する。さらに、この保持構造を係合させることにより、工具のノーズと口金を係合させるために、カラーから引っ張り溝を十分に突き出させることを保証する。
【００２７】
この保持構造は、カラーの貫通穴に設けられたタブが、第１固定溝の下に突き抜け、その中で係合のためにこのカラーのタブが回転されうること、すなわち、プッシュ・アンド・ツイスト動作されうるように、ピン・テールに設けられた浅い軸方向のスロット又は平面を備えていてもよい。
【００２８】
あるいは、前記保持構造は、前記引っ張り溝に隣接する固定部に設けられた短い螺旋状のねじ山、及び、カラーの貫通穴に設けられ、それと係合される対応する形状の短いねじ山、螺旋又はタブを備えていてもよい。この実施形態では、ロックボルトの取り付けは、カラーの大部分又は全体が環状の固定溝を越えてスエージされ、それによってカラーとピンが緩むおそれがなくなる。
【００２９】
さらに、他の保持構造は、カラーの貫通穴及びピン・テールの固定溝のいずれかに設けられたエラストマーのビーズ又はリングを備えていてもよい。
【００３０】
前記保持構造は、取り付けの次の段階に対して取付工具が使用されるまで、カラーをピンに保持するのに十分な保持力を提供する。取付工具が作動される際、この保持力は、取付工具のスエージストロークによって打ち負かされ、且つ、被工作物への取り付け作業の間、シートの巻き取りやカラーのスエージ動作に悪影響を与えないように、十分弱い。
【００３１】
取り付けられたロックボルトのスエージされたカラーから突き出たまま残るピン・テールの部分は尖っていないので、多数の溝を有し各溝の先端部が尖った従来例のピン・テールに比べて、人を傷つける危険性が小さくなる。
【００３２】
他の実施形態において、被工作物にロックボルトを取り付けている間に、ピン・テールが切断されるように構成されている。この実施形態は、ピン・テールの余分な重量又は長さが受け入れられないような状況において有利である。さらに、この実施形態は、例えばステンレス鋼やアルミ合金のピンなどのように、ピンの材料が、破断面において腐食される心配のないものである場合に有利である。
【００３３】
さらなる態様として、本発明は、本発明に係るロックボルトを取り付けるための装置及び方法を提供する。
【００３４】
本発明において用いられる取付工具の口金は、ノーズ・ピースの先端を越えて突出していないので、口金が引き込まれて一緒に穴を塞ぐ従来例に比べて作業者が負傷する危険性がずっと少なくなる。また、工具を激しく落下させたとしても、口金が損傷を受ける可能性も少なくなる。
【００３５】
また、本発明の口金の比較的大きな内側のリップは、従来例の工具における多数の細かいピッチの口金歯に比べて、屑で埋められたり、汚い／屋外の作業環境で砂や小石によって損傷されたりする可能性は少ない。
【００３６】
本発明の口金の内側のリップは、多数の引っ張りジョーを備えた従来例の工具のように引っ張りジョーの歯の根元の直径を小さくする必要がないので、内側のリップの応力は、従来例の工具のジョーに比べてずっと小さくなり、早期のひび割れはほとんど生じない。
【００３７】
この取付工具は、プランジャーが押圧されていない間、工具が使用できないようにする、押圧可能なプランジャーをさらに備えていることが好ましい。それによって、工具が誤って作動されないようにする安全機構が提供される。
【００３８】
前記プランジャーは、ロックボルトのピン・テールの端面に設けられた窪みと係合される丸い先端部を有していてもよい。丸いプランジャーの先端を係合させることにより、ピン・テールを取付工具の内部に正確に位置決めすること、すなわち、工具を作動させる前に、工具の軸に対して許容できない角度に傾斜することなく、軸方向に工具のノーズの内側に完全に挿入することが可能となり、工具が損傷したり、作業者が負傷したりすることが防止される。
【００３９】
取付工具の口金の一部分は、引っ張り溝の形状の少なくとも一部分と係合可能な形状を有していることが好ましい。
【図面の簡単な説明】
【００４０】
本発明について、添付図面を参照しつつ、説明する。
【図１】図１は、本発明の一実施形態に係るロックボルトが油圧で作動される取付工具に挿入され、ロックボルトを被工作物に取り付ける準備ができた状態を示す断面図である（被工作物は後の図に示されている）。
【図２】図２は、図１の領域IIに示されたロックボルトと取付工具の詳細を示す断面図であり、保持構造が係合された状態を示す。  図２ａは、本発明に係る他のロックボルトのピン・テールを示す部分側面図である。
【図３】図３ａは、図１の取付工具の正面図であり（わかりやすくするためにロックボルトは取り除かれている）、図１の断面図はI-I線に沿って描かれている。  図３ｂは、図３ａの領域IIIに示された取付工具の部分の詳細を示す図である。
【図４】図４は、図３ｂのIV-IV線に沿って工具の断面図であり、本発明に係るロックボルトの取り付け準備が完了した状態を示す。
【図５】図５ａ及び５ｂは、本発明に係るロックボルトのピンを簡略化した側面図であり、わかりやすくするためにカラー保持構造を取り外した状態を示す。  図５ｃは、本発明に係るロックボルトのカラーを簡略化した側面図である。
【図６−１５】図６乃至１５は、本発明に係るロックボルトの取り付け段階を示し、工具、被工作物及びロックボルトは、断面又は部分断面で描かれている。
【図１６】図１６は、本発明に係るロックボルトの他の実施形態の取り付け状態を示す図である。
【発明を実施するための形態】
【００４１】
図面を参照して、本発明の第１実施形態に係るロックボルト２は、ピン・テール６及びピン・ヘッド８を備えたピン４と、貫通穴１２（図７）を有するカラー１０を備えている。固定部３６は、ピン・テール６に設けられた複数の環状の固定溝１８と、固定部３６とピン・ヘッド８から離れたピン・テール６の端面２２との間に設けられた単一の引っ張り溝２０を備えている。固定溝１８とピン・テール６の端面２２との間に、平坦な端部８０が設けられている。端部８０は、固定部３６の長さに比べて短く、その最大外径は固定部３６の最大外径よりも小さい。一例として、固定部３６の最大直径をＤ、引っ張り溝２０の最小直径をＧ（図に示す実施形態では、引っ張り溝２０の最小直径は溝の底の部分である）、端部８０の最大直径をＴとして、
Ｇ＝０．６７５Ｄ（より一般的には０．５０Ｄから０．７０Ｄの範囲内）
Ｔ＝０．８３６Ｄ（より一般的には０．７Ｄから１．０Ｄの範囲内）
が適用される。
【００４２】
さらに、引っ張り溝２０及び端部８０を含めたピン・テール６の全長をＬ、端部８０の長さをＮ、引っ張り溝２０の長さをＭとして、
Ｌ＝０．９３６Ｄ（より一般的には０．７Ｄから１．２Ｄの範囲内）
Ｍ＝０．５８１Ｄ（より一般的には０．３Ｄから０．７Ｄの範囲内）
Ｎ＝０．３５５Ｄ（より一般的には０．２６Ｄから０．５Ｄの範囲内）
が適用される。
【００４３】
単一の引っ張り溝２０は、第１傾斜部２６と第２傾斜部３０（第２傾斜部３０は第１傾斜部２６よりもピン６のテールの端面２２に近い）と、第１傾斜部２６と第２傾斜部３０の間でその長さ方向に沿って一定の断面積を有する溝の底部２８を含む。すなわち、溝の底部２８はピン・テール６の軸に平行である。
【００４４】
図６乃至１５は、取付工具１００の使用を含み、被工作部材１３０及び１４０を備えた被工作物の開口１２０及び１２２中にロックボルト２を取り付け、それによって被工作部材１３０及び１４０が一体的に固定される一連の段階を示す。
【００４５】
最初に、図６に示すように、作業者の手によって、ピン４が、ヘッドの裏面３４が被工作物の後面１５２に接触するまで、被工作物の後側１５０から被工作部材１３０及び１４０の開口１２０及び１２２に挿入される。この段階では、ピン・テール６は、被工作物の前側１６０から突き出している。その後、図７に示すように、カラー１０は、手作業により被工作物の前側１６０からピン・テール９の突出している端部に嵌め込まれる。
【００４６】
カラー１０がピン４に嵌め込まれた後、カラー１０は、ピン４上の初期組立位置（すなわち、係合位置）にしっかりと保持される。このしっかりとした係合は、保持構造２４によってもたらされる。図１及び２に示す実施形態では、保持構造２４はプッシュ・アンド・ツイストタイプであり、ピン・テール６に設けられた軸方向の浅いスロット５６と、カラー１０の貫通穴１２に設けられたタブ５２を備えている。軸方向のスロット５６は、タブ５２が固定部３６の第１固定溝１８の下に突き抜けることを可能にし、その後、カラーが１８０度回転されることにより、タブ５２が第１係合溝１８に係合される。図２において、保持構造２４は係合された位置を示している。わかりやすくするために、保持構造２４は、一連の取り付け工程を示す図では示されていない。
【００４７】
保持構造２４は、取り付けの次の段階のために取付工具が使用されるまで、カラーをピン・テールに保持するために十分な保持力を提供する。取付工具が作動される際、保持力は、取付工具のスエージストロークによって打ち負かされ、且つ、被工作物への取り付け作業の間、シートの巻き取りやカラー１０のスエージ動作に悪影響を与えないように、十分弱い。
【００４８】
次に、ロックボルト２は、取付工具１００の使用により、被工作物に取り付けられる。取付工具１００は、ノーズ・ピース１０８によって取り囲まれた、分割された口金１０２を含む（図１０及び１４）。
【００４９】
丸い先端１１４（最も明瞭には図１１ｂ及び１１ｃに示す）を有するバネで押圧されたプランジャー１０４（図１１及び１４）が、取付工具１００の内部に設けられており、ロックボルト・ピンの端面２２に設けられた窪み３２と係合する。ピン・テール６が開いた口金１０２内に侵入すると、プランジャーはロックボルト・ピン６の端面２２によって押し下げられる。プランジャー１０４が窪み３２と係合することにより、ピン・テールが取付工具１００の内部の正確な位置、すなわち、工具の軸に対して許容できない角度には傾いていないことが保証される。プランジャーが押し下げられることによって、作業者はロックボルトの取り付けを開始することができる。それによって、ピン・テールが工具の口金の内部に正確に位置決めされていないか、又はピンが装着されておらず、作業者が挟まれるおそれがある危険な作業が回避される。
【００５０】
取付工具１００の作動中、油圧作動ピストン１０６（図１に示す）によって口金１０２に作用する引っ張り力が増大され、それによって口金１０２が工具１００の内部に引き込まれ、引っ張り溝２０を介してピン・テール６に作用する引っ張り力が増大される。口金１０２が工具１００の内部に引き込まれるので、ノーズ・ピース１０８の傾斜したアンビル部１１２は、口金１０２をピン・テール６の端部の周りに密着させ、第２傾斜部３０によってもたらされた接触面において、口金１０２の内側のリップ１１０が単一の引っ張り溝２０に係合する。ここに図示された実施形態では、口金１０２の内側のリップ１１０は、引っ張り溝２０の形状の少なくとも一部分と係合する形状、すなわち、引っ張り溝２０の溝の底部２８及び第２傾斜部３０と係合する形状を有しており、それによって、口金１０２が平坦な溝の底部２８及び第２傾斜部３０と係合する。
【００５１】
油圧作動ピストン１０６により口金２０に加えられる引っ張り力は、引っ張り溝２０の傾斜部３０によってもたらされる接触面を介してピン・テール６に伝達される。そのため、口金２０が工具１００の内部に引き込まれると、ピン・テール６も工具１００に向かって引っ張られる。
【００５２】
次に、油圧作動ピストンによって口金２０が工具１００の内部にさらに引き込まれるので、ノーズ・ピース１０８のアンビル部１１２がカラー１０に接触し、カラー１０がアンビル１１２によって徐々にピン・ヘッド８の方向に押し付けられる。それによって、被工作部材１３０及び１４０が一体的に押し付けられ、それらの間に隙間がなくなるように密着され、締め付け負荷が被工作物に加えられる。工具１００によって加えられる力が増加するので、アンビル部１１２はカラー１０を徐々にピン・テール６の固定溝１８中でスエージして行き、すなわちカラー１０の材料が固定溝１８の内部に無理矢理押し込まれる。
【００５３】
工具によって加えられる力があらかじめ設定された最大値に達すると、その力が停止され、それによるカラー１０のスエージも停止される。そして、油圧作動ピストン１０６は動作前の位置に戻り、アンビル部１１２は完全にスエージされたカラー１０から引き戻される。カラー１０がピン・テール６に完全にスエージされると、カラーはピン４にしっかりと固定され、２つの部品は不用意に分離されることはできなくなる。
【００５４】
上記の実施形態では、ピン・テール６の端部は、ロックボルト２を被工作物に取り付ける間には、切断されない。しかしながら、図１６に示すロックボルト２’の他の実施形態では、単一の引っ張り溝２０’が第１実施形態の引っ張り溝２０よりも深い、すなわち、第１傾斜部２６’及び第２傾斜部３０’が第１実施形態のこれらの部分に比べて急である（その結果、溝の底２８’の直径が小さい）ため、ピン・テール６’の端部８０’が取り付け中に切断される。そのため、引っ張り溝は破断溝としての役割を果たす。この実施形態において、取付工具は、ピン・テールが破断溝／引っ張り溝２０において破断するまで、ピン・テール６’に引っ張り力を加える。破断されたピンの端部８０’は、取り付けサイクルが終了した後、工具１００から排出される。この実施形態では、工具の力が傾斜部３０’によってもたらされた接触面を介してピン／テール６’に伝達される限りにおいて、口金１０２（図１６では示さず）の内側のリップ１１０の形状は、引っ張り溝２０’の形状と対応していなくてもよい。
【００５５】
さらに他の実施形態（図示せず）では、接触面は、引っ張り溝の他の構造部分、例えば肩の部分に形成されてもよく、ピン・テール６の軸に対して９０度の接触面を提供する。
【００５６】
また、保持構造２４は、ピン・テール６”の引っ張り溝２０’に隣接する部分に設けられた短い螺旋ねじ山５４（図２ａに示す）、及び、固定部のねじ山が係合されるカラー１０の貫通穴１２に設けられたそれに対応する短いねじ山、螺旋又はタブを備えていてもよい。カラー１０は、その大部分又は全体が環状の固定溝１８を越えてスエージされるので、カラーとピン・テール６が外れるおそれはない。
【００５７】
さらに他の実施形態では、保持構造２４は、カラー１０の貫通穴１２又はピン・テール６の固定溝１８に設けられたエラストマーのビーズ又はリングを備えていてもよい。
【００５８】
他の実施形態において、例えば２つの傾斜部２６及び３０のみを備え、平行な溝の底部２８、すなわち、長さ方向に沿って一定の断面積を有する溝の底部を有さない異なった形状の引っ張り溝を設けてもよい。その他の形状の引っ張り溝２０”の例を図２ａに示す。同様に、取付工具の口金１０２の形状も異なっていてもよい。より具体的には、口金１０２の内側のリップ１１０の形状は、口金の内側のリップ１１０と引っ張り溝の傾斜部が接触しうる限りにおいて、部分的に引っ張り溝２０の形状と対応していなくてもよい。
【００５９】
ピン・テール６の端部８０は、図２ａに示す他の端部８０”のように、異なった形状を有していてもよい。
【図１】
0006499677.tif 000002
【図２】
0006499677.tif 000003
【図２ａ】
0006499677.tif 000004
【図３】
0006499677.tif 000005
【図４】
0006499677.tif 000006
【図５】
0006499677.tif 000007
【図６】
0006499677.tif 000008
【図７】
0006499677.tif 000009
【図８】
0006499677.tif 000010
【図９】
0006499677.tif 000011
【図１０】
0006499677.tif 000012
【図１１ａ】
0006499677.tif 000013
【図１１ｂ−１１ｃ】
0006499677.tif 000014
【図１２】
0006499677.tif 000015
【図１３】
0006499677.tif 000016
【図１４】
0006499677.tif 000017
【図１５】
0006499677.tif 000018
【図１６】
0006499677.tif 000019